(57)【要約】【課題】ＩＰネットワーク上の無駄なパケットを低減して、ＩＰ電話システム及びＩＰ電話機における消費電力の低減を図る。【解決手段】ＩＰ電話機２において、第１送信手段は、人体が検出された場合にＳＩＰサーバ１に対して登録要求を送信し、第２送信手段は人体が検出されない場合に、ＳＩＰサーバに対して非登録要求を送信する。ＳＩＰサーバ１において、記憶手段は送信された登録要求と非登録要求とに基づいて、ＩＰ電話機の登録／非登録情報と端末情報とを対応づけて記憶し、取得手段は、発呼元端末からＩＰ電話機に対する接続要求を受信した場合に、当該ＩＰ電話機の登録／非登録情報を取得する。通知手段は、登録／非登録情報において非登録である場合に、接続不可である旨を発呼元端末に通知し、呼制御手段は、登録／非登録情報において登録である場合に、当該ＩＰ電話機に対して呼制御を行う。【選択図】図１
2009290500.tif 000002
【特許請求の範囲】
【請求項１】
ＳＩＰ（Session Initiation Protocol）サーバと、当該ＳＩＰサーバに登録されるＩＰ電話機と、を備え、ＩＰネットワーク上で音声信号をパケット化して伝送するＩＰ電話システムにおいて、
前記ＩＰ電話機は、
当該ＩＰ電話機の所定範囲内に存在する人体を検出する人体検出手段と、
前記人体検出手段により人体が検出された場合に、前記ＳＩＰサーバに対して登録要求を送信する第１送信手段と、
所定時間の間、前記人体検出手段により人体が検出されない場合に、前記ＳＩＰサーバに対して、非登録要求を送信する第２送信手段と、
を備え、
前記ＳＩＰサーバは、
前記第１送信手段により送信された前記登録要求と前記第２送信手段により送信された前記非登録要求とに基づいて、前記ＩＰ電話機の登録／非登録情報と端末情報とを対応づけて記憶する記憶手段と、
発呼元端末から前記ＩＰ電話機に対する接続要求を受信した場合に、前記記憶手段から当該ＩＰ電話機の登録／非登録情報を取得する取得手段と、
前記取得手段により取得された登録／非登録情報において、前記ＩＰ電話機が登録である場合に、前記端末情報に基づいて、当該ＩＰ電話機に対して呼制御を行う呼制御手段と、
前記取得手段により取得された登録／非登録情報において、前記ＩＰ電話機が非登録である場合に、接続不可である旨を前記発呼元端末に通知する通知手段と、
を備えることを特徴とするＩＰ電話システム。
【請求項２】
前記ＳＩＰサーバは、
前記ＩＰ電話機に対応する転送先端末の転送先端末情報を記憶する第２記憶手段と、
前記取得手段により取得された登録／非登録情報において、前記ＩＰ電話機が非登録であり、且つ、前記第２記憶手段により転送先端末情報が記憶されている場合に、前記通知手段による通知を行わず、前記転送先端末情報に基づいて、前記転送先端末に対して呼制御を行う転送手段と、
を備えることを特徴とする請求項１に記載のＩＰ電話システム。
【請求項３】
ＳＩＰ（Session Initiation Protocol）サーバと、当該ＳＩＰサーバに登録されるＩＰ電話機と、を備え、ＩＰネットワーク上で音声信号をパケット化して伝送するＩＰ電話システムにおいて、
前記ＩＰ電話機は、
赤外線センサを備えて成り、当該ＩＰ電話機の所定範囲内に存在する人体を検出する人体検出手段と、
前記人体検出手段により人体が検出された場合に、前記ＳＩＰサーバに対して登録要求を送信する第１送信手段と、
所定時間の間、前記人体検出手段により人体が検出されない場合に、前記ＳＩＰサーバに対して、非登録要求を送信する第２送信手段と、
を備え、
前記ＳＩＰサーバは、
前記第１送信手段により送信された前記登録要求と前記第２送信手段により送信された前記非登録要求とに基づいて、前記ＩＰ電話機の登録／非登録情報と端末情報とを対応づけて記憶する第１記憶手段と、
前記ＩＰ電話機に対応する転送先端末の転送先端末情報を記憶する第２記憶手段と、
発呼元端末から前記ＩＰ電話機に対する接続要求を受信した場合に、前記第１記憶手段から当該ＩＰ電話機の登録／非登録情報を取得する取得手段と、
前記取得手段により取得された登録／非登録情報において、前記ＩＰ電話機が登録である場合に、前記端末情報に基づいて、当該ＩＰ電話機に対して呼制御を行う呼制御手段と、
前記取得手段により取得された登録／非登録情報において、前記ＩＰ電話機が非登録であり、且つ、前記第２記憶手段により転送先端末情報が記憶されていない場合に、接続不可である旨を前記発呼元端末に通知する通知手段と、
前記取得手段により取得された登録／非登録情報において、前記ＩＰ電話機が非登録であり、且つ、前記第２記憶手段により転送先端末情報が記憶されている場合に、前記通知手段による通知を行わず、前記転送先端末情報に基づいて、前記転送先端末に対して呼制御を行う転送手段と、
を備えることを特徴とするＩＰ電話システム。
【請求項４】
ＳＩＰ（Session Initiation Protocol）サーバに登録され、ＩＰネットワーク上で音声信号をパケット化して送受信するＩＰ電話機において、
当該ＩＰ電話機の所定範囲内に存在する人体を検出する人体検出手段と、
前記人体検出手段により人体が検出された場合に、前記ＳＩＰサーバに対して登録要求を送信する第１送信手段と、
所定時間の間、前記人体検出手段により人体が検出されない場合に、前記ＳＩＰサーバに対して、非登録要求を送信する第２送信手段と、
を備えることを特徴とするＩＰ電話機。
【発明の詳細な説明】
【技術分野】
【０００１】
本発明は、ＩＰネットワーク上での音声通話を実現するＩＰ電話システム及びＩＰ電話機に関する。
【背景技術】
【０００２】
近年、音声信号をパケット化して伝送するＶｏＩＰ(Voice over Internet Protocol)技術を利用して、ＩＰ（Internet Protocol）ネットワーク上での音声通話を実現するＩＰ電話システムの普及が進んでいる。
【０００３】
ＶｏＩＰでは、ＳＩＰ（Session Initiation Protocol）等の呼制御プロトコルによる呼制御が行われる。ＳＩＰによる呼制御では、まず、発呼元のＩＰ電話機が、ＳＩＰサーバに対して、着呼先の識別情報を宛先とするＩＮＶＩＴＥリクエストを送信して接続要求を行う。発呼元からの接続要求を受けたＳＩＰサーバは、メッセージ内の識別情報に基づいて着呼先のＩＰアドレスを特定し、着呼先のＩＰ電話機に対してＩＮＶＩＴＥリクエストを転送して通話の可否を問い合わせる。着呼先のユーザが電話機を取った場合、着呼先から２００  ＯＫレスポンスが送られ、これに対して発呼元からＡＣＫレスポンスが送信されると、発呼元と着呼先との間で通話路が確立して、ＩＰネットワーク上でＲＴＰ(Real-time Transport Protocol)を利用した音声パケットのやり取りが開始されることとなる。
【０００４】
一方、ＳＩＰサーバでは、各ＩＰ電話機の登録／非登録状況を管理している。通常、ＩＰ電話機は、電源オン時に、ＳＩＰサーバに対して端末情報を含むＲＥＧＩＳＴＥＲリクエストを送信して登録要求を行うことにより、ＳＩＰサーバに登録有効期間(Expire)とともに登録され、他の通信端末との間の通信が可能となる。その後、ＳＩＰサーバに登録された登録有効期間が切れる前に再登録を行い、再登録が行われなかった場合には非登録となる。
ところが、前回の登録要求により登録された登録有効期間が切れる前にＩＰ電話機が電源オフとなった場合でも、ＳＩＰサーバに登録された登録有効期間の間は、ＳＩＰサーバが登録状態を保持する。そのため、電源オフとなってから登録有効期間が切れるまでの間に、他の通信端末によりそのＩＰ電話機を宛先とする接続要求が行われると、着呼先のＩＰ電話機が電源オフ状態であるにも関わらず、ＳＩＰメッセージ等の無駄なパケットが、ＳＩＰサーバと着呼先ＩＰ電話機の間でＩＰネットワークを介してやり取りされることとなり、ＳＩＰサーバとＩＰ電話機における当該パケットの送受信処理による電力消費と合わせて、システム全体での電力消費の増大を招くという問題があった。
【０００５】
そこで、例えば、特許文献１に開示されたＩＰ電話システムでは、発着信が無い状態やユーザによる操作入力が無い状態の継続時間を計測して、計測した時間が所定時間以上となると、電力モードを通常モードから省電力モードに切り換えて省電力化を図っている。
【特許文献１】特開２００５−１０１９２１号公報
【発明の開示】
【発明が解決しようとする課題】
【０００６】
しかしながら、上記特許文献１のシステムは、ＩＰ電話機自体の省電力を図るものに過ぎず、他のＩＰ電話機による接続要求が行われた場合には、ＳＩＰサーバにおいてＩＰ電話機のレジスト状態が保持されている限り、ＳＩＰサーバと着呼先ＩＰ電話機との間で無駄なパケットがやり取りされることとなり、上記問題を解決するものではなかった。
【０００７】
本発明の課題は、ＩＰネットワーク上の無駄なパケットを低減して、ＩＰ電話システム及びＩＰ電話機における消費電力の低減を図ることである。
【課題を解決するための手段】
【０００８】
上記課題を解決するため、請求項１に記載の発明は、ＳＩＰ（Session Initiation Protocol）サーバと、当該ＳＩＰサーバに登録されるＩＰ電話機と、を備え、ＩＰネットワーク上で音声信号をパケット化して伝送するＩＰ電話システムにおいて、
前記ＩＰ電話機は、
当該ＩＰ電話機の所定範囲内に存在する人体を検出する人体検出手段と、
前記人体検出手段により人体が検出された場合に、前記ＳＩＰサーバに対して登録要求を送信する第１送信手段と、
所定時間の間、前記人体検出手段により人体が検出されない場合に、前記ＳＩＰサーバに対して、非登録要求を送信する第２送信手段と、
を備え、
前記ＳＩＰサーバは、
前記第１送信手段により送信された前記登録要求と前記第２送信手段により送信された前記非登録要求とに基づいて、前記ＩＰ電話機の登録／非登録情報と端末情報とを対応づけて記憶する記憶手段と、
発呼元端末から前記ＩＰ電話機に対する接続要求を受信した場合に、前記記憶手段から当該ＩＰ電話機の登録／非登録情報を取得する取得手段と、
前記取得手段により取得された登録／非登録情報において、前記ＩＰ電話機が登録である場合に、前記端末情報に基づいて、当該ＩＰ電話機に対して呼制御を行う呼制御手段と、
前記取得手段により取得された登録／非登録情報において、前記ＩＰ電話機が非登録である場合に、接続不可である旨を前記発呼元端末に通知する通知手段と、
を備えることを特徴とする。
【０００９】
請求項２に記載の発明は、請求項１に記載のＩＰ電話システムにおいて、前記ＳＩＰサーバは、
前記ＩＰ電話機に対応する転送先端末の転送先端末情報を記憶する第２記憶手段と、
前記取得手段により取得された登録／非登録情報において、前記ＩＰ電話機が非登録であり、且つ、前記第２記憶手段により転送先端末情報が記憶されている場合に、前記通知手段による通知を行わず、前記転送先端末情報に基づいて、前記転送先端末に対して呼制御を行う転送手段と、
を備えることを特徴とする。
【００１０】
請求項３に記載の発明は、ＳＩＰ（Session Initiation Protocol）サーバと、当該ＳＩＰサーバに登録されるＩＰ電話機と、を備え、ＩＰネットワーク上で音声信号をパケット化して伝送するＩＰ電話システムにおいて、
前記ＩＰ電話機は、
赤外線センサを備えて成り、当該ＩＰ電話機の所定範囲内に存在する人体を検出する人体検出手段と、
前記人体検出手段により人体が検出された場合に、前記ＳＩＰサーバに対して登録要求を送信する第１送信手段と、
所定時間の間、前記人体検出手段により人体が検出されない場合に、前記ＳＩＰサーバに対して、非登録要求を送信する第２送信手段と、
を備え、
前記ＳＩＰサーバは、
前記第１送信手段により送信された前記登録要求と前記第２送信手段により送信された前記非登録要求とに基づいて、前記ＩＰ電話機の登録／非登録情報と端末情報とを対応づけて記憶する第１記憶手段と、
前記ＩＰ電話機に対応する転送先端末の転送先端末情報を記憶する第２記憶手段と、
発呼元端末から前記ＩＰ電話機に対する接続要求を受信した場合に、前記第１記憶手段から当該ＩＰ電話機の登録／非登録情報を取得する取得手段と、
前記取得手段により取得された登録／非登録情報において、前記ＩＰ電話機が登録である場合に、前記端末情報に基づいて、当該ＩＰ電話機に対して呼制御を行う呼制御手段と、
前記取得手段により取得された登録／非登録情報において、前記ＩＰ電話機が非登録であり、且つ、前記第２記憶手段により転送先端末情報が記憶されていない場合に、接続不可である旨を前記発呼元端末に通知する通知手段と、
前記取得手段により取得された登録／非登録情報において、前記ＩＰ電話機が非登録であり、且つ、前記第２記憶手段により転送先端末情報が記憶されている場合に、前記通知手段による通知を行わず、前記転送先端末情報に基づいて、前記転送先端末に対して呼制御を行う転送手段と、
を備えることを特徴とする。
【００１１】
請求項４に記載の発明は、ＳＩＰ（Session Initiation Protocol）サーバに登録され、ＩＰネットワーク上で音声信号をパケット化して送受信するＩＰ電話機において、
当該ＩＰ電話機の所定範囲内に存在する人体を検出する人体検出手段と、
前記人体検出手段により人体が検出された場合に、前記ＳＩＰサーバに対して登録要求を送信する第１送信手段と、
前記人体検出手段により人体が検出されない場合に、前記ＳＩＰサーバに対して、非登録要求を送信する第２送信手段と、
を備えることを特徴とする。
【発明の効果】
【００１２】
本発明によれば、ＩＰ電話機において、人体検出手段により、当該ＩＰ電話機の所定範囲内に存在する人体が検出され、第１送信手段により、人体検出手段により人体が検出された場合に、ＳＩＰサーバに対して登録要求が送信され、第２送信手段により、所定時間の間、人体検出手段により人体が検出されない場合に、ＳＩＰサーバに対して、非登録要求が送信される。また、ＳＩＰサーバにおいて、記憶手段により、第１送信手段により送信された登録要求と第２送信手段により送信された非登録要求とに基づいて、ＩＰ電話機の登録／非登録情報と端末情報とが対応づけて記憶され、取得手段により、発呼元端末からＩＰ電話機に対する接続要求を受信した場合に、記憶手段から当該ＩＰ電話機の登録／非登録情報が取得され、通知手段により、取得手段により取得された登録／非登録情報において、ＩＰ電話機が非登録である場合に、接続不可である旨が発呼元端末に通知され、呼制御手段により、取得手段により取得された登録／非登録情報において、ＩＰ電話機が登録である場合に、端末情報に基づいて、当該ＩＰ電話機に対して呼制御が行われる。
すなわち、本発明のＩＰ電話システムでは、ユーザが在席から不在の状態となると、ＳＩＰサーバに対して自動的に非登録要求が送られ、ユーザが不在の状態から在席の状態となると、ＳＩＰサーバに対して自動的に登録要求が送られることとなる。つまり、従来のＩＰ電話システムのように、電源オフとなってから登録有効期限が切れるまでの間に、他の端末からの接続要求に基づいてＳＩＰメッセージ等の無駄なパケットがＳＩＰサーバと着呼先ＩＰ電話機との間でやり取りされることが無くなる。したがって、ＩＰネットワーク上の無駄なパケットを低減して、ＩＰ電話システムにおける消費電力の低減を図ることができる。
また、ユーザが在席中である限り、登録有効期間が保持されるため、登録有効期間が切れる度に行う再登録処理を行う必要がなくなり、ＩＰ電話機システムにおける更なる省電力化を図ることができる。
また、ユーザの在席／不在に応じて、ＳＩＰサーバにおける登録／非登録情報を切り換えることができるため、ユーザが一時的に席を外す場合等、ユーザが不在である間に、他の端末からの接続要求に基づいて呼制御に関する無駄なパケットがＳＩＰサーバと着呼先ＩＰ電話機との間でやり取りされることが無くなり、より一層の省電力化を図ることができる。
さらに、発呼元端末は、接続要求に応じて、着呼先のＩＰ電話機のユーザが不在である旨のレスポンスをより素早く得ることができ、レスポンスが素早く得られない場合にユーザに生じる苛々等の否定的な感情を防止することができる。
【発明を実施するための最良の形態】
【００１３】
以下、本発明の実施の形態について、図面を参照しながら詳細に説明する。なお、発明の範囲は図示例に限定されない。
【００１４】
（ＩＰ電話システム）
本実施形態のＩＰ電話システムＳは、例えば、図１に示すように、ＩＰネットワーク上に配置されたＳＩＰ（Session Initiation Protocol）サーバ１と、ＩＰネットワークに接続して音声通話を行う複数のＩＰ電話機２…（例えば、ＩＰ電話機２ａ、ＩＰ電話機２ｂ、ＩＰ電話機２ｃ）と、等を備えて構成される。
【００１５】
ＩＰ電話機２は、例えば、ＬＡＮ上に配置され、ＬＡＮの出入口に配置されたゲートウェイ３を介してＩＰネットワークに接続され、ＳＩＰサーバ１や他の通信端末との間で通信を行う。
ＳＩＰサーバ１は、例えば、ＩＰネットワーク上に配置され、例えば、ＩＰ電話機２からの登録要求／非登録要求に応じてＩＰ電話機２の登録／非登録処理を担うレジストラサーバ、レジストラサーバにより登録される端末情報を管理するロケーションサーバ、クライアントの代理としてメッセージを中継するプロキシサーバ、宛先の問い合わせを受けるリダイレクトサーバ、としての機能を有する。
ＳＩＰサーバ１は、ネットワークに接続された各ＩＰ電話機２の登録／非登録状況を管理しており、ネットワーク上の通信端末からＩＰ電話機２に対して接続要求があった場合に、各ＩＰ電話機２の登録／非登録状況に応じた呼制御／通知／転送処理を行い、端末間の通信を仲介する。
ここで、本実施形態のＩＰ電話システムＳでは、ＳＩＰサーバ１により管理される登録／非登録情報が、各ＩＰ電話機２のユーザの在席／不在に応じて切り替わる仕組みとなっている。
【００１６】
（ＩＰ電話機の構成）
ＩＰ電話機２（ＩＰ電話機２ａ、ＩＰ電話機２ｂ、ＩＰ電話機２ｃ）は、例えば、図２に示すように、第１送信手段及び第２送信手段としての通信部２１、音声処理部２２、音声入出力部２３、操作入力部２４、人体検出手段としての赤外線センサ２５、制御部２６等を備える。
【００１７】
通信部２１は、ＮＩＣ（Network Interface Card）等を備えてＬＡＮに接続され、ネットワーク上の各通信端末との間でパケットの送受信を行う。
例えば、通信部２１は、呼制御／通知／転送処理中に、制御部２６から供給されるメッセージパケットを、所定のヘッダ等を付して伝送可能なパケットに変換し、ＬＡＮを介してＳＩＰサーバ１に送信する。また、ＳＩＰサーバ１からＬＡＮを介して送られてくる伝送パケットを受信してメッセージパケットを取得し、制御部２６に供給する。
また、通信部２１は、音声通話処理中に、相手側からＬＡＮを介して送られてくる伝送パケットを受信して音声パケットを取得し、音声処理部２２に供給する。また、音声処理部２２から供給される音声パケットに対して、所定のヘッダ等を付して伝送可能なパケットに変換し、ＬＡＮを介して相手側に送信する。
また、通信部２１は、赤外線センサ２５により人体が検出された場合に制御部２６から供給されるＲＥＧＩＳＴＥＲリクエスト（登録要求）のパケットを、所定のヘッダ等を付して伝送可能なパケットに変換し、ＬＡＮを介してＳＩＰサーバ１に送信する。これにより、通信部２１は、第１送信手段の一部を構成する。
さらに、通信部２１は、赤外線センサ２５により、所定時間の間人体が検出されない場合に制御部２６から供給されるＵＮＲＥＧＩＳＴＥＲリクエスト（非登録要求）を、所定のヘッダ等を付して伝送可能なパケットに変換し、ＬＡＮを介してＳＩＰサーバ１に送信する。これにより、通信部２１は、第２送信手段の一部を構成する。
【００１８】
音声処理部２２は、通信部２１から入力される音声パケットをアナログの音声信号に変換して、音声入出力部２３に供給する。また、音声処理部２２は、音声入出力部２３から入力されるアナログの音声信号を、ＰＣＭ(Pulse Code Modulation)方式等によりデジタル化し、音声パケットに変換して、通信部２１に供給する。
【００１９】
音声入出力部２３は、マイクロホン２３ａ、スピーカ２３ｂ等を備える。マイクロホン２３ａは、入力されたユーザの音声を増幅して音声処理部２２に供給し、スピーカ２３は、音声処理部２２から入力されたアナログの音声信号を増幅して出力する。
【００２０】
操作入力部２４は、例えば、キーパッドや表示パネル等を備え、ユーザによる各種指示や電話番号等の入力を受け付ける。
【００２１】
赤外線センサ２５は、例えば、ＩＰ電話機２の正面等の所定箇所に配設されている。赤外線センサ２５は、ＩＰ電話機２の所定範囲内に存在する人体を検出し、人体の検出に応じて、人体検出信号を制御部２６に出力する。
【００２２】
制御部２６は、例えば、ＣＰＵ（Central Processing Unit）２６１、ＣＰＵ２６１のワークエリアとして用いられるＲＡＭ（Random Access Memory）２６２、データの書換え及び消去が可能なＥＥＰＲＯＭ（Electrically Erasable Programmable ROM）から成る端末情報メモリ２６３、登録／非登録メモリ２６４、ＣＰＵ２６１によって実行される各種プログラムを格納するＲＯＭ（Read Only Memory）２６５等を備えて構成される。
【００２３】
ＣＰＵ２６１は、ＩＰ電話機２の各部から入力される入力信号に応じて、ＲＯＭ２６５に格納されたプログラムを実行するとともに、実行にかかるプログラムに基づいて各部に出力信号を出力することにより、ＩＰ電話機２の動作全般を統括制御する。
【００２４】
端末情報メモリ２６３は、自身に割り当てられた電話番号、ＩＰアドレス等を端末情報として記憶している。端末情報は、ＲＥＧＩＳＴＥＲリクエスト（登録要求）／ＵＮＲＥＧＩＳＴＥＲリクエスト（非登録要求）の送信時に、ＵＲＩ(Uniform Resource Identifier)フォーマットで、発信元としてメッセージ内に格納されて、ＳＩＰサーバ１に送信される。
【００２５】
登録／非登録メモリ２６４は、ＩＰ電話機２自身が、ＳＩＰサーバ１において「登録」とされているか、或いは、「非登録」とされているかを記憶し、ＲＥＧＩＳＴＥＲリクエスト（登録要求）／ＵＮＲＥＧＩＳＴＥＲリクエスト（非登録要求）の送信後にＳＩＰサーバ１から送られる２００  ＯＫレスポンスに応じて更新される。
【００２６】
ＲＯＭ２６５は、プログラム格納エリアに、人体検出手段としての人体検出プログラム２６５ａ、第１送信手段としての第１送信プログラム２６５ｂ、第２送信手段としての第２送信プログラム２６５ｃ等を格納している。
【００２７】
人体検出プログラム２６５ａは、例えば、ＣＰＵ２６１に、当該ＩＰ電話機２の所定範囲内に存在する人体を検出する機能を実現させるためのプログラムである。
具体的には、ＣＰＵ２６１は、赤外線センサ２５において人体が検出された場合に出力される人体検出信号に応じて、所定時間の間（例えば、１０秒間）連続して、ＩＰ電話機２の所定範囲内に、人体が検出されたか否かを判断する。
ＣＰＵ２６１は、かかる人体検出プログラム２６５ａを実行することにより、赤外線センサ２５とともに人体検出手段を構成する。
【００２８】
第１送信プログラム２６５ｂは、例えば、ＣＰＵ２６１に、人体検出プログラム２６５ａにより人体が検出された場合に、ＳＩＰサーバ１に対してＲＥＧＩＳＴＥＲリクエスト（登録要求）を送信する機能を実現させるためのプログラムである。
具体的には、ＣＰＵ２６１は、人体検出プログラム２６５ａの実行において、所定時間の間連続して人体が検出されたと判断すると、登録／非登録メモリ２６４を参照し、登録／非登録メモリ２６４において「非登録」とされている場合に、当該ＩＰ電話機２を登録するためのＲＥＧＩＳＴＥＲリクエストを生成し、生成したＲＥＧＩＳＴＥＲリクエストをＳＩＰサーバ１に対して送信する。また、ＳＩＰサーバ１に送信したＲＥＧＩＳＴＥＲリクエストに応じて、ＳＩＰサーバ１から２００  ＯＫレスポンスが送られてきた場合に、登録／非登録メモリ２６４を「非登録」から「登録」に変更する。
ＣＰＵ２６１は、かかる第１送信プログラム２６５ｂを実行することにより、通信部２１とともに第１送信手段を構成する。
【００２９】
第２送信プログラム２６５ｃは、例えば、ＣＰＵ２６１に、所定時間の間、人体検出プログラム２６５ａにより人体が検出されない場合に、ＳＩＰサーバ１に対して、ＵＮＲＥＧＩＳＴＥＲリクエスト（非登録要求）を送信する機能を実現させるためのプログラムである。
具体的には、ＣＰＵ２６１は、人体検出プログラム２６５ａの実行において、所定時間の間連続して人体が検出されないと判断すると、登録／非登録メモリ２６４を参照し、登録／非登録メモリ２６４において「登録」とされている場合に、当該ＩＰ電話機２の登録を解除するためのＵＮＲＥＧＩＳＴＥＲリクエストを生成し、生成したＵＮＲＥＧＩＳＴＥＲリクエストをＳＩＰサーバ１に対して送信する。また、ＳＩＰサーバ１に送信したＵＮＲＥＧＩＳＴＥＲリクエストに応じて、ＳＩＰサーバ１から２００  ＯＫレスポンスが送られてきた場合に、登録／非登録メモリ２６４を「登録」から「非登録」に変更する。ＩＰ電話機２は、非登録に移行した後、ＩＰ電話に関するパケットの送受信を一切に行わず、待機状態となる。
ＣＰＵ２６１は、かかる第２送信ププログラムを実行することにより、通信部２１とともに第２送信手段を構成する。
【００３０】
また、このＩＰ電話機２では、操作入力部２４において電源オフが指示された場合に、ＳＩＰサーバ１に対して、ＵＮＲＥＧＩＳＴＥＲリクエスト（非登録要求）を送信した後に、電源オフ処理を行い、操作入力部２４において電源オンが指示された場合に、電源オン処理を行った後に、ＳＩＰサーバ１に対してＲＥＧＩＳＴＥＲリクエスト（登録要求）を送信するように構成されている。
【００３１】
ここで、ＳＩＰサーバ１に送信されるＲＥＧＩＳＴＥＲリクエスト（登録要求）及びＵＮＲＥＧＩＳＴＥＲリクエスト（非登録要求）のデータ構造について説明する。
ＲＥＧＩＳＴＥＲリクエスト（登録要求）及びＵＮＲＥＧＩＳＴＥＲリクエスト（非登録要求）は、スタートライン、ヘッダ・フィールド、空白行、ボディから構成される。
ＲＥＧＩＳＴＥＲリクエスト（登録要求）は、ヘッダ・フィールドに、登録したいＩＰ電話機２の端末情報を指定する「Ｔｏ」、リクエストの発行者を指定する「Ｆｒｏｍ」、「Ｃａｌｌ−ＩＤ」、「ＣＳｅｑ(Command Sequence)」、「Ｃｏｎｔａｃｔ」、登録有効期間を指定する「Ｅｘｐｉｒｅｓ」等のヘッダ・フィールドを含み、「Ｅｘｐｉｒｅｓ」ヘッダ・フィールドでは、例えば、登録有効期間として「無限大」が設定される。
また、ＵＮＲＥＧＩＳＴＥＲリクエスト（非登録要求）は、ヘッダ・フィールドの「Ｅｘｐｉｒｅｓ」ヘッダ・フィールドにおいて、登録有効期間として「０」が設定される。
【００３２】
なお、ＲＥＧＩＳＴＥＲリクエストにおいて登録有効期間を指定せず、ＳＩＰサーバ１側でＵＮＲＥＧＩＳＴＥＲリクエストが送られるまで登録状態を保持するように構成されていても良い。
【００３３】
（ＳＩＰサーバの構成）
ＳＩＰサーバ１は、例えば、図３に示すように、呼制御手段、通知手段、転送手段としての通信部１１、第１記憶手段（記憶手段）及び第２記憶手段としての端末管理テーブル１２、制御部１３等を備える。
【００３４】
通信部１１は、ＩＰネットワークに接続され、ネットワーク上の各通信端末との間で各種パケットの送受信を行う。
例えば、通信部１１は、呼制御／通知／転送処理中に、ネットワークに接続されたＩＰ電話機２から伝送されるパケットを受信して、各種メッセージパケット、ＲＥＧＩＳＴＥＲリクエスト（登録要求）のパケット、ＵＮＲＥＧＩＳＴＥＲリクエスト（非登録要求）のパケット等を取得し、制御部１３に供給する。
また、通信部１１は、呼制御／通知／転送処理中に、着呼先ＩＰ電話機２の登録／非登録情報が「登録」である場合に、発呼元端末から送信されたＩＮＶＩＴＥリクエスト（接続要求）を、着呼先ＩＰ電話機２に転送する。これにより、通信部１１は、呼制御手段の一部を構成する。
また、通信部１１は、呼制御／通知／転送処理中に、着呼先ＩＰ電話機２の登録／非登録情報が「非登録」であり、且つ、転送先端末の転送先端末情報が記憶されていない場合に、接続不可である旨のレスポンスを、発呼元端末に送信する。これにより、通信部１１は、通知手段の一部を構成する。
また、通信部１１は、呼制御／通知／転送処理中に、着呼先ＩＰ電話機２の登録／非登録情報が「非登録」であり、且つ、転送先端末の転送先端末情報が記憶されている場合に、発呼元端末から送信されたＩＮＶＩＴＥリクエスト（接続要求）を、転送先端末に転送する。これにより、通信部１１は、転送手段の一部を構成する。
【００３５】
端末管理テーブル１２は、ＩＰネットワークに接続される各ＩＰ電話機２の登録／非登録情報と、各ＩＰ電話機２に割り当てられた端末情報と、ＩＰ電話機２に対応する転送先端末の転送先端末情報と、を対応づけて記憶している。
端末情報は、例えば、識別情報と位置情報とを対応づけたものである。識別情報は、例えば、電話番号であり、位置情報は、例えば、ＩＰアドレスを取得するためのＵＲＩ(Uniform Resource Identifier)である。また、転送先端末情報も、端末情報と同様に、電話番号等の識別情報と、ＵＲＩ等の位置情報とを対応づけたものである。
なお、識別情報／位置情報として、ＩＰアドレスを用いても良い。
【００３６】
図４は、端末管理テーブル１２を例示する図である。
図４に示すように、端末管理テーブル１２は、ＩＰネットワークに接続される各ＩＰ電話機２の端末情報として、電話番号（例えば、050-AAAA-BBBB）とＵＲＩ(例えば、sip:AAA@xxxxx)とを一対一で対応づけている。また、端末管理テーブル１２では、各ＩＰ電話機２の登録／非登録状況と、転送先端末の転送先端末情報と、を記憶している。
この登録／非登録情報は、各ＩＰ電話機２において、ユーザの在席が検出された場合に自動的に送信されるＲＥＧＩＳＴＥＲリクエスト（登録要求）と、ユーザの不在が検出された場合に自動的に送信されるＵＮＲＥＧＩＳＴＥＲリクエスト（非登録要求）とに応じて切り替わる。すなわち、ＲＥＧＩＳＴＥＲリクエスト（登録要求）を受信すると、登録／非登録情報が「登録」に変更され、ＵＮＲＥＧＩＳＴＥＲリクエスト（非登録要求）を受信すると、登録／非登録情報が「非登録」に変更される。
【００３７】
制御部１３は、例えば、ＣＰＵ（Central Processing Unit）１３１、ＣＰＵ１３１のワークエリアとして用いられるＲＡＭ（Random Access Memory）１３２、データの書換え及び消去が可能なＥＥＰＲＯＭ（Electrically Erasable Programmable ROM）１３３、ＣＰＵ１３１によって実行される各種プログラムを格納するＲＯＭ（Read Only Memory）１３４等を備えて構成される。
【００３８】
ＣＰＵ１３１は、ＳＩＰサーバ１の各部から入力される入力信号に応じて、ＲＯＭ１３４に格納されたプログラムを実行するとともに、実行にかかるプログラムに基づいて各部に出力信号を出力することにより、ＳＩＰサーバ１の動作全般を統括制御する。
【００３９】
ＲＯＭ１３４は、プログラム格納エリアに、取得手段としての取得プログラム１３４ａ、呼制御手段としての呼制御プログラム１３４ｂ、通知手段としての通知プログラム１３４ｃ、転送手段としての転送プログラム１３４ｄ等を格納している。
【００４０】
取得プログラム１３４ａは、例えば、ＣＰＵ１３１に、発呼元端末からＩＰ電話機２に対する接続要求を受信した場合に、端末管理テーブル（第１記憶手段）１２から当該ＩＰ電話機２の登録／非登録情報を取得する機能を実現させるためのプログラムである。
具体的には、ＣＰＵ１３１は、ネットワーク上の他の通信端末である発呼元端末から、ＩＰ電話機２を宛先とするＩＮＶＩＴＥリクエスト（接続要求）を受信すると、呼制御／通知／転送処理を開始し、受信したＩＮＶＩＴＥリクエストから、「Ｔｏ」ヘッダ・フィールドに含まれる着呼先ＩＰ電話機２の識別情報（例えば、電話番号）を読み出す。そして、読み出した電話番号をキーとして、端末管理テーブル１２から、宛先のＩＰ電話機２の登録／非登録情報を読み出す。
ＣＰＵ１３１は、かかる取得プログラム１３４ａを実行することにより、取得手段として機能する。
【００４１】
呼制御プログラム１３４ｂは、例えば、ＣＰＵ１３１に、取得プログラム（取得手段）１３４ａにより取得された登録／非登録情報において、ＩＰ電話機２が登録である場合に、端末情報に基づいて、当該ＩＰ電話機２に対して呼制御を行う機能を実現させるためのプログラムである。
具体的には、ＣＰＵ１３１は、呼制御／通知／転送処理において、端末管理テーブル１２から読み出した着呼先のＩＰ電話機２の登録／非登録情報が「登録」である場合、端末管理テーブル１２を参照して、発呼元端末から受信したＩＮＶＩＴＥリクエストから読み出した着呼先の電話番号をＩＰアドレスに変換し、このＩＰアドレスにＩＮＶＩＴＥリクエストを送信する。電話番号からＩＰアドレスへの変換では、例えば、電話番号に対応するＵＲＩからドメイン名を取得し、ドメイン名からＤＮＳ(Domain Name System)を利用してＩＰアドレスを得る方法を用いる。
例えば、発呼元端末が、電話番号が「050-AAAA-BBBB」を宛先とするＩＮＶＩＴＥメッセージをＳＩＰサーバ１に送信して接続要求を行った場合、図４に例示する端末管理テーブル１２において、この電話番号を有するＩＰ電話機２の登録／非登録情報が「登録」であるため、この電話番号をＩＰアドレスに変換して、発呼元端末から受信したＩＮＶＩＴＥメッセージをこのＩＰアドレスのＩＰ電話機２に送信する。
ＣＰＵ１３１は、かかる呼制御プログラム１３４ｂを実行することにより、通信部１１とともに呼制御手段として機能する。
【００４２】
通知プログラム１３４ｃは、例えば、ＣＰＵ１３１に、取得プログラム（取得手段）１３４ａにより取得された登録／非登録情報において、ＩＰ電話機２が非登録であり、且つ、端末管理テーブル（第２記憶手段）１２により転送先端末情報が記憶されていない場合に、接続不可である旨を発呼元端末に通知する機能を実現させるためのプログラムである。
具体的には、ＣＰＵ１３１は、呼制御／通知／転送処理において、端末管理テーブル１２から読み出した着呼先のＩＰ電話機２の登録／非登録情報が「非登録」である場合、端末管理テーブル１２を参照し、着呼先のＩＰ電話機２の転送先としての転送先端末の転送先端末情報が記憶されているか否かを判断する。そして、転送先端末の転送先端末情報が記憶されていない場合、発呼元端末に対して、接続不可である旨を示すレスポンスメッセージを送信する。
例えば、発呼元端末が、電話番号が「050-CCCC-DDDD」を宛先とするＩＮＶＩＴＥメッセージをＳＩＰサーバ１に送信して接続要求を行った場合、図４に例示する端末管理テーブル１２において、この電話番号を有するＩＰ電話機２の登録／非登録情報が「非登録」であり、且つ、転送先端末の転送先端末情報が記憶されていないため、発呼元端末に対して、接続不可である旨を示すレスポンスメッセージを送信する。
ＣＰＵ１３１は、かかる通知プログラム１３４ｃを実行することにより、通信部１１とともに通知手段として機能する。
【００４３】
転送プログラム１３４ｄは、例えば、ＣＰＵ１３１に、取得プログラム（取得手段）１３４ａにより取得された登録／非登録情報において、ＩＰ電話機２が非登録であり、且つ、端末管理テーブル（第２記憶手段）１２により転送先端末情報が記憶されている場合に、通知プログラム（通知手段）１３４ｃによる通知を行わず、転送先端末情報に基づいて、転送先端末に対して呼制御を行う機能を実現させるためのプログラムである。
具体的には、ＣＰＵ１３１は、呼制御／通知／転送処理において、端末管理テーブル１２から読み出した着呼先のＩＰ電話機２の登録／非登録情報が「非登録」である場合、端末管理テーブル１２を参照し、着呼先のＩＰ電話機２の転送先としての転送先端末の転送先端末情報が記憶されているか否かを判断する。そして、転送先端末の転送先端末情報が記憶されている場合、転送先端末のＩＰアドレスを読み出し、発呼元端末から受信したＩＮＶＩＴＥリクエストを転送先端末に対して送信する。
例えば、発呼元端末が、電話番号が「050-EEEE-FFFF」を宛先とするＩＮＶＩＴＥメッセージをＳＩＰサーバ１に送信して接続要求を行った場合、図４に例示する端末管理テーブル１２において、この電話番号を有するＩＰ電話機２の登録／非登録情報が「非登録」であり、且つ、転送先端末の転送先端末情報（電話番号「050-IIII-JJJJ」、ＵＲＩ「sip:EEE@xxxxx」）が記憶されているため、この転送先端末の電話番号をＩＰアドレスに変換して、発呼元端末から受信したＩＮＶＩＴＥメッセージをこのＩＰアドレスのＩＰ電話機２に送信する。
ＣＰＵ１３１は、かかる転送プログラム１３４ｄを実行することにより、通信部１１ととともに転送手段として機能する。
【００４４】
ここで、発呼元端末及び転送先端末は、ＩＰ電話機２に限られず、公衆電話網に接続された一般の固定電話機や、携帯電話網に接続された携帯電話機、ＶｏＩＰ機能を備えるパーソナルコンピュータ等であっても良い。
【００４５】
（登録／非登録処理）
次に、図５のフローチャートを参照しながら、ＩＰ電話機２とＳＩＰサーバ１との間で実行される登録／非登録処理の流れについて説明する。
【００４６】
初めに、ステップＳ１において、ＩＰ電話機２は、赤外線センサ２５からの人体検出信号に基づいて、ＩＰ電話機２の所定範囲内に人体が検出されたか否かを判断する。ステップＳ１において、人体が検出されたと判断すると（ステップＳ１；Ｙｅｓ）、ステップＳ２において、ＳＩＰサーバ１に対して、ＲＥＧＩＳＴＥＲリクエスト（登録要求）を送信し、ステップＳ１に戻る。
ステップＳ３において、ＳＩＰサーバ１は、ＩＰ電話機２からＲＥＧＩＳＴＥＲリクエスト（登録要求）を受信すると、続くステップＳ４において、この登録要求に応じて、端末管理テーブル１２における当該ＩＰ電話機２の登録／非登録情報を「非登録」から「登録」に変更して登録処理を行う。
一方、ステップＳ１において、ＩＰ電話機２は、人体が検出されないと判断されると（ステップＳ１；Ｎｏ）、ステップＳ５に進み、ＳＩＰサーバ１に対して、ＵＮＲＥＧＩＳＴＥＲリクエスト（非登録要求）を送信する。
ステップＳ６において、ＳＩＰサーバ１は、ＩＰ電話機２からＵＮＲＥＧＩＳＴＥＲリクエスト（非登録要求）を受信すると、続くステップＳ７において、この非登録要求に応じて、端末管理テーブル１２における当該ＩＰ電話機２の登録／非登録情報を「登録」から「非登録」に変更して非登録処理を行う。
【００４７】
（呼制御／通知／転送処理）
次に、図６及び図７のフローチャートを参照しながら、ネットワーク上の他の通信端末である発呼元端末からＩＰ電話機２に対して接続要求があった場合に、発呼元端末、ＳＩＰサーバ１、着呼先ＩＰ電話機２、転送先端末の間で実行される呼制御／通知／転送処理の流れについて説明する。ここでは、例えば、図１のＩＰ電話機２ａを発呼元端末、ＩＰ電話機２ｂを着呼先ＩＰ電話機２、ＩＰ電話機２ｃを転送先端末として、発呼元端末２ａのユーザが、着呼先ＩＰ電話機２ｂのユーザとの間で音声通話を試みる場合について説明する。
【００４８】
初めに、図６のステップＳ１１において、発呼元端末２ａにおいて、ユーザが受話器を取り上げて（オンフック）、操作入力部２４において着呼先の電話番号をダイヤルすると、ステップＳ１２において、着呼先の電話番号を宛先とするＩＮＶＩＴＥリクエスト（接続要求）がＳＩＰサーバ１に送信される。
ステップＳ１３において、ＳＩＰサーバ１は、ＩＮＶＩＴＥリクエスト（接続要求）を受信すると、続くステップＳ１４において、端末管理テーブル１２を参照し、着呼先のＩＰ電話機２ｂの登録／非登録情報が「登録」であるか否かを判断する。ステップＳ１４において、着呼先ＩＰ電話機２ｂが登録されていると判断すると（ステップＳ１４；Ｙｅｓ）、ステップＳ１５に進み、発呼元端末２ａからのＩＮＶＩＴＥリクエスト（接続要求）を着呼先ＩＰ電話機２ｂに転送して呼制御を行う。
一方、ＳＩＰサーバ１は、ステップＳ１４において、着呼先ＩＰ電話機２ｂが非登録であると判断すると（ステップＳ１４；Ｎｏ）、ステップＳ１６に進み、端末管理テーブル１２において、着呼先ＩＰ電話機２ｂに対応する転送先端末２ｃの転送先端末情報が記憶されているか否かを判断する。ステップＳ１６において、転送先端末２ｃの転送先端末情報が端末管理テーブル１２に記憶されていると判断すると（ステップＳ１６；Ｙｅｓ）、ステップＳ１７に進み、発呼元端末２ａからのＩＮＶＩＴＥリクエスト（接続要求）を転送先ＩＰ電話機２２ｃに転送して呼制御を行う。
一方、ＳＩＰサーバ１は、ステップＳ１６において、転送先端末２ｃの転送先端末情報が端末管理テーブル１２に記憶されていないと判断すると（ステップＳ１６；Ｎｏ）、ステップＳ１８に進み、発呼元端末２ａに対して、接続不可である旨のレスポンスを送信し、本処理を終了する。
【００４９】
以上説明した本実施形態におけるＩＰ電話システムＳによれば、ＩＰ電話機２において、赤外線センサ２５を備えて成る人体検出手段（人体検出プログラム２６５ａ、赤外線センサ２５）により、当該ＩＰ電話機２の所定範囲内に存在する人体が検出され、第１送信手段（第１送信プログラム２６５ｂ、通信部２１）により、人体検出手段（人体検出プログラム２６５ａ、赤外線センサ２５）により人体が検出された場合に、ＳＩＰサーバ１に対して登録要求（ＲＥＧＩＳＴＥＲリクエスト）が送信され、第２送信手段（第２送信プログラム２６５ｃ、通信部２１）により、所定時間の間、人体検出手段（人体検出プログラム２６５ａ、赤外線センサ２５）により人体が検出されない場合に、ＳＩＰサーバ１に対して、非登録要求が送信される。また、ＳＩＰサーバ１において、第１記憶手段（記憶手段）（端末管理テーブル１２）により、第１送信手段（第１送信プログラム２６５ｂ、通信部２１）により送信された登録要求（ＲＥＧＩＳＴＥＲリクエスト）と第２送信手段（第２送信プログラム２６５ｃ、通信部２１）により送信された非登録要求（ＵＮＲＥＧＩＳＴＥＲリクエスト）とに基づいて、ＩＰ電話機２の登録／非登録情報と端末情報とが対応づけて記憶され、第２記憶手段（端末管理テーブル１２）により、ＩＰ電話機２に対応する転送先端末の転送先端末情報が記憶される。また、取得手段（取得プログラム１３４ａ）により、発呼元端末からＩＰ電話機２に対する接続要求（ＩＮＶＩＴＥリクエスト）を受信した場合に、第１記憶手段（記憶手段）（端末管理テーブル１２）から当該ＩＰ電話機２の登録／非登録情報が取得され、呼制御手段（呼制御プログラム１３４ｂ、通信部１１）により、取得手段（取得プログラム１３４ａ）により取得された登録／非登録情報において、ＩＰ電話機２が登録である場合に、端末情報に基づいて、当該ＩＰ電話機２に対して呼制御が行われ、通知手段（通知プログラム１３４ｃ、通信部１１）により、取得手段（取得プログラム１３４ａ）により取得された登録／非登録情報において、ＩＰ電話機２が非登録であり、且つ、第２記憶手段（端末管理テーブル１２）により転送先端末情報が記憶されていない場合に、接続不可である旨が発呼元端末に通知され、転送手段（転送プログラム１３４ｄ、通信部１１）により、取得手段（取得プログラム１３４ａ）により取得された登録／非登録情報において、ＩＰ電話機２が非登録であり、且つ、第２記憶手段（端末管理テーブル１２）により転送先端末情報が記憶されている場合に、通知手段（通知プログラム１３４ｃ、通信部１１）による通知を行わず、転送先端末情報に基づいて、転送先端末に対して呼制御が行われる。
すなわち、本発明のＩＰ電話システムＳでは、ユーザが在席から不在の状態となると、ＳＩＰサーバ１に対して自動的に非登録要求が送られ、ユーザが不在の状態から在席の状態となると、ＳＩＰサーバ１に対して自動的に登録要求が送られることとなる。つまり、従来のＩＰ電話システムＳのように、電源オフとなってから登録有効期限が切れるまでの間に、他の端末からの接続要求に基づいてＳＩＰメッセージ等の無駄なパケットがＳＩＰサーバ１と着呼先ＩＰ電話機２との間でやり取りされることが無くなる。したがって、ＩＰネットワーク上の無駄なパケットを低減して、ＩＰ電話システムＳにおける消費電力の低減を図ることができる。
【００５０】
また、ユーザが在席中である限り、登録有効期間が保持されるため、登録有効期間が切れる度に行う再登録処理を行う必要がなくなり、ＩＰ電話機２システムにおける更なる省電力化を図ることができる。
また、ユーザの在席／不在に応じて、ＳＩＰサーバ１における登録／非登録情報を切り換えることができるため、ユーザが一時的に席を外す場合等、ユーザが不在である間に、他の端末からの接続要求に基づいて呼制御に関する無駄なパケットがＳＩＰサーバ１と着呼先ＩＰ電話機２との間でやり取りされることが無くなり、より一層の省電力化を図ることができる。
さらに、発呼元端末は、接続要求に応じて、着呼先のＩＰ電話機２のユーザが不在である旨のレスポンスをより素早く得ることができ、レスポンスが素早く得られない場合にユーザに生じる苛々等の否定的な感情を防止することができる。
【００５１】
また、ＳＩＰサーバ１において、着呼先ＩＰ電話機２が非登録である、すなわち、着呼先のユーザが不在の場合には、予め登録した転送先端末に対して、発呼元端末からの接続要求が転送される。
すなわち、ユーザは、予め転送先を登録しておくことにより、ＩＰ電話機２を離れる場合に、このＩＰ電話機２への着呼を所望の端末に自動的に転送させることができる。したがって、ユーザにとって使い勝手の良いＩＰ電話システムＳとすることができる。
【００５２】
さらに、人体検出手段は赤外線センサ２５を備えるため、簡易な構成で、ユーザの在席／不在を検出することができる。
【００５３】
なお、本発明の範囲は、上記実施形態に限られることなく、本発明の趣旨を逸脱しない範囲において、種々の改良並びに設計の変更を行っても良い。
例えば、上記実施形態では、ＩＰ電話機２への接続要求に対して着呼先ＩＰ電話機２が非登録である際、転送先端末の転送先端末情報が記憶されている場合に転送を行い、転送先端末情報が記憶されていない場合に発呼元端末に対して接続不可である旨の通知を行うこととしたが、ＩＰ電話機２からの指定に応じて転送処理と通知処理の何れを実行するかを記憶しておく構成であっても良い。
また、ＩＰ電話機２は、ＩＰ電話専用の電話機に限られず、ＶｏＩＰ機能を備えるパーソナルコンピュータや、ＶｏＩＰゲートウェイと接続されるアナログ固定電話機等であっても良い。
また、ＳＩＰサーバ１において、各ＩＰ電話機２の状態を管理して、発呼先のＩＰ電話機２が通信中である場合に、発呼元端末からの接続要求が転送先端末に転送されるように構成されていても良い。
【図面の簡単な説明】
【００５４】
【図１】本実施形態におけるＩＰ電話システムの全体構成を例示するブロック図である。
【図２】ＩＰ電話機の要部構成を例示するブロック図である。
【図３】ＳＩＰサーバの要部構成を例示するブロック図である。
【図４】端末管理テーブルを例示する図である。
【図５】本実施形態のＩＰ電話システムにおいて実行される登録／非登録処理を示すフローチャートである。
【図６】本実施形態のＩＰ電話システムにおいて実行される呼制御／通知／転送処理を示すフローチャートである。
【図７】本実施形態のＩＰ電話システムにおいて実行される呼制御／通知／転送処理を示すフローチャートである。
【符号の説明】
【００５５】
Ｓ                      ＩＰ電話システム
１                      ＳＩＰサーバ
１１                    通信部（呼制御手段、通知手段、転送手段）
１２                    端末管理テーブル（第１記憶手段、第２記憶手段）
１３１                  ＣＰＵ（取得手段、呼制御手段、通知手段、転送手段）
１３４ａ                取得プログラム（取得手段）
１３４ｂ                呼制御プログラム（呼制御手段）
１３４ｃ                通知プログラム（通知手段）
１３４ｄ                転送プログラム（転送手段）
２（２ａ、２ｂ、２ｃ）  ＩＰ電話機
２１                    通信部（第１送信手段、第２送信手段）
２５                    赤外線センサ（人体検出手段）
２６１                  ＣＰＵ（人体検出手段、第１送信手段、第２送信手段）
２６５ａ                人体検出プログラム（人体検出手段）
２６５ｂ                第１送信プログラム（第１送信手段）
２６５ｃ                第２送信プログラム（第２送信手段）
【図１】
2009290500.tif 000003
【図２】
2009290500.tif 000004
【図３】
2009290500.tif 000005
【図４】
2009290500.tif 000006
【図５】
2009290500.tif 000007
【図６】
2009290500.tif 000008
【図７】
2009290500.tif 000009